(57)【要約】【課題】人体に対して無害で安全なフィールドライン引きや滑り止め用として好適に利用できる粉体を提供する。【解決手段】鶏の卵殻Ｅを水洗浄した後、熱風乾燥機に入れて乾燥処理する。同乾燥処理した卵殻Ｅを撹拌分離槽に投入し、高圧水を当てながら撹拌して卵殻Ｅの内側の卵膜を分離除去する。その後、卵膜を分離除去した卵殻Ｅを熱風乾燥機に入れて乾燥処理し、粉砕機で粉状に粉砕する。同粉砕した卵殻Ｅをメッシュスクリーンで分級し、粒径が約１００μｍの求める卵殻粉Ｐを得る。【選択図】          図１
2004261213.tif 000002
【特許請求の範囲】
【請求項１】
卵殻から卵膜を除去した後乾燥させて粉砕した表面が微細な凹凸を有し且つ多孔質な微粉状の卵殻粉を主成分とする運動場にフィールドラインを形成するフィールドパウダー。
【請求項２】
卵殻から卵膜を除去した後乾燥させて粉砕した表面が微細な凹凸を有し且つ多孔質な微粉状の卵殻粉を主成分とする体操やクライミングで使用する滑り止めチョーク。
【請求項３】
卵殻から卵膜を除去した後乾燥させて粉砕した表面が微細な凹凸を有し且つ多孔質な微粉状卵殻粉。
【発明の詳細な説明】
【０００１】
【発明の属する技術分野】
本発明は、運動会等において運動場にフィールドライン（白線）を引く際に用いられるフィールドパウダー、及び体操やクライミング等の競技において掌の滑り止めに用いられる滑り止めチョークに関する。
【０００２】
【従来の技術】
従来、運動会等において運動場にフィールドラインをラインカーで引く際に用いられるフィールドパウダーとしては消石灰（水酸化カルシウム）が一般的に用いられている。また、体操やクライミング等の競技において掌の滑り止めに用いられる滑り止めチョークとしては炭酸マグネシウムが一般的に用いられている。
【０００３】
ところで、消石灰はアルカリ性が強いから目に入ると角膜や結膜に強いただれを起こしたり、皮膚に付着すると低温火傷の症状を起こす問題があった。近年では消石灰に代えて影響の少ない炭酸カルシウムが用いられるようになってきているが、幼稚園の運動会で園児が手に付着したフィールドパウダーを過って口に入れたりすること等が考えられ好ましいものではなかった。また、滑り止めチョークにおいても競技者が掌に付着させてチョークアップする際、目に入ったり吸い込んだりして好ましいものではなかった。
【０００４】
そこで、本発明者らが検討した結果、食品工場等で大量に排出されてほとんどが廃棄物となっている卵殻を微粉状に粉砕した卵殻粉が、従来の消石灰や炭酸カルシウム，炭酸マグネシウムと同等の使い勝手を有しながら人体や環境に影響を与えず、フィールドパウダーや滑り止めチョークとして好ましく使用できることを見出した。
【０００５】
【発明が解決しようとする課題】
本発明が解決しようとする課題は、従来のこれらの問題点を解消し、人体に対して無害で安全に使用できるフィールドパウダー及び滑り止めチョークを提供することにある。
【０００６】
【課題を解決するための手段】
かかる課題を解決した本発明の構成は、
１）  卵殻から卵膜を除去した後乾燥させて粉砕した表面が微細な凹凸を有し且つ多孔質な微粉状の卵殻粉を主成分とする運動場にフィールドラインを形成するフィールドパウダー
２）  卵殻から卵膜を除去した後乾燥させて粉砕した表面が微細な凹凸を有し且つ多孔質な微粉状の卵殻粉を主成分とする体操やクライミングで使用する滑り止めチョーク
３）  卵殻から卵膜を除去した後乾燥させて粉砕した表面が微細な凹凸を有し且つ多孔質な微粉状卵殻粉
にある。
【０００７】
【作用】
本発明によれば、粉体自身は表面が微細な凹凸を有し且つ多孔質であるから粒子同士が摩擦抵抗を有し、従来の消石灰や炭酸カルシウム，炭酸マグネシウムと比較して滑り抵抗や比重がほぼ同等で使い勝手は何等変わらず、成分が食用にできる卵殻粉であるから人体に対して無害で安全に使用でき、農業分野では土壌改良材として使用されていることから土と混ざり合っても害が無い。
【０００８】
【発明の実施の形態】
本発明の卵殻は粉砕前に卵膜を分離除去する。卵膜は付着したままだと特有の匂いがあり、粉砕後所定粒径に分級する際、分級器が目詰まりするからである。卵膜の分離除去は、人手による他、比重分離槽で比重差により卵殻を自重で沈澱させるとともに自然剥離した卵膜を浮上させて分離除去する方法，撹拌分離槽で卵殻に高圧水を当てながら撹拌して強制的に分離除去する方法等がある。
【０００９】
卵膜が分離除去された卵殻は、必要に応じて殺菌処理し、ドライヤー等で熱風乾燥させて含水率を十分に低減させる。粉砕はハンマーミルやジェットミル等の公知の粉砕機が用いられ、１００μｍ程度の粒径に粉砕される。得られた粉体には、必要に応じて松ヤニを所要量混合して適度な防滑性を付与してもよいし、顔料等の着色材を混合して任意の色に着色してもよい。
【００１０】
【実施例】
以下、本発明の実施例を図面及び表に基づいて具体的に説明する。図１は実施例の卵殻粉の製造工程を示すフロー、図２は実施例の卵殻粉の粒子の拡大説明図、図３は炭酸カルシウムの粒子の拡大説明図である。図中、１は水洗工程、２は乾燥工程、３は卵膜除去工程、４は乾燥工程、５は粉砕工程、６は分級工程、Ｃは炭酸カルシウム、Ｅは卵殻、Ｐは卵殻粉である。
【００１１】
本実施例では、鶏の卵殻Ｅを水洗浄した後、熱風乾燥機に入れて乾燥処理した。同乾燥処理した卵殻Ｅを撹拌分離槽に投入し、高圧水を当てながら撹拌して卵殻Ｅの内側の卵膜を分離除去した。その後、卵膜を分離除去した卵殻Ｅを熱風乾燥機に入れて乾燥処理し、公知の粉砕機で粉状に粉砕した。同粉砕した卵殻Ｅを１００μｍのメッシュスクリーンで分級し、粒径が約１００μｍの求める卵殻粉Ｐを得た。
【００１２】
前記で得た卵殻粉Ｐの粒子を電子顕微鏡でみると、図２に示すように微細な凹凸を有し且つ多孔質で歪な形状をしており、図３に示すように平滑な矩形を示す合成の炭酸カルシウムＣと異なっている。この表面の凹凸が適度な滑り抵抗を示し、例えば体操やクライミング等の競技時に用いられる滑り止めチョークの代替として好ましく使用できる。また、卵膜は除去されているから特有の匂いもほとんどせず、弱アルカリ性で人体にも優しいものである。この卵殻粉Ｐには必要に応じて松ヤニを適量混合することで、より適度な防滑性を付与することもできる。
【００１３】
また、得られた卵殻粉Ｐは白色であるから、陸上競技や運動会等において運動場にそのままラインカーでフィールドラインを形成することができる。この卵殻フィールドラインは従来の消石灰と違って人体や環境に負荷を与えず、炭酸カルシウムよりも安全無害である。前記のとおり粒子表面の凹凸により摩擦抵抗を有しているから、土と滑り難くて風雨に対しても周囲に散乱せず、フィールドラインを長期に渡って保持できる。
【００１４】
なお、得られた卵殻粉Ｐの成分の分析結果を下表に示す。
【００１５】
【表１】
2004261213.tif 000003
【００１６】
【発明の効果】
以上説明したように、本発明によれば従来ほとんど廃棄物となっていた卵殻を有効利用することで、人体に対して無害で安全なフィールドパウダー及び滑り止めチョークを提供できる。
【図面の簡単な説明】
【図１】実施例の卵殻粉の製造工程を示すフローである。
【図２】実施例の卵殻粉の粒子の拡大説明図である。
【図３】炭酸カルシウムの粒子の拡大説明図である。
【符号の説明】
１  水洗工程
２  乾燥工程
３  卵膜除去工程
４  乾燥工程
５  粉砕工程
６  分級工程
Ｃ  炭酸カルシウム
Ｅ  卵殻
Ｐ  卵殻粉
【図１】
2004261213.tif 000004
【図２】
2004261213.tif 000005
【図３】
2004261213.tif 000006